(57)【特許請求の範囲】
【請求項１】
特定の方向に直線状に延びた複数の溝および前記特定の方向と同じ方向に延びた、化粧が施された複数の帯状部分とが、ブロック本体のおもて面およびうら面にそれぞれ形成されてなるコンクリートブロックを２以上集合させた組ブロックであって、
前記溝と前記化粧が施された帯状部分とは、その数、幅および間隔のうち少なくとも一つが互いに異なって形成されるとともに、少なくとも１箇所の前記溝と前記化粧が施された帯状部分とが重畳する部分が形成され、
一つのコンクリートブロックの前記おもて面と前記うら面とで、前記溝および前記帯状部分のうち少なくとも一方の、数、幅および間隔のうち少なくとも一つが互いに異なって形成され、
前記２以上のコンクリートブロックは、前記溝の数、幅および間隔のうち少なくとも一つ、または前記帯状部分の数、幅および間隔のうち少なくとも一つが互いに異なっていることを特徴とする組ブロック。
【請求項２】
前記複数の溝のうち少なくとも一つは、その深さが他の溝と異なるものであることを特徴とする請求項１に記載の組ブロック。
【請求項３】
前記特定の方向が、使用状態における上下方向であることを特徴とする請求項１または２に記載の組ブロック。
【請求項４】
前記ブロック本体の幅方向の両側端縁が前記溝の底部となるように、両側端部に半溝部が形成されていることを特徴とする請求項３に記載に組ブロック。
【発明の詳細な説明】
【技術分野】
【０００１】
本発明は、コンクリートブロックを２以上集合させた組ブロックに関する。
【背景技術】
【０００２】
従来、塀や壁として積み上げられて使用されるコンクリートブロックは、その表面（ひょうめん）が均一な平面に形成されていた。
【０００３】
このようなコンクリートブロックとして、近年、表面に複数の溝を形成したものや、例えば表面にウォータージェット加工（高圧力の水流を衝突させて、コンクリートブロック表面のセメントノロ（セメントを水で溶いたもの）を洗い流し、コンクリートブロック内部の骨材面を表面に露出させる加工）を施す等して濃淡の差を生じさせた（化粧を施した）ものなど、装飾性を向上させたものが知られている。
【０００４】
また、そのような溝や化粧からなる意匠を、ブロック本体のおもて面とうら面とで互いに異なるものとしたコンクリートブロックも提案されている（特許文献１）。
【先行技術文献】
【特許文献】
【０００５】
【特許文献１】特開２００７−２９１７８６号公報
【発明の概要】
【発明が解決しようとする課題】
【０００６】
ところで、コンクリートブロックは、左右に並べられるとともに上方向に積み上げて施工されることにより塀や壁として形成されるが、上下左右に整列されているため、左右または上下に隣接する２つのコンクリートブロック間の目地が上下方向および左右方向に沿った一直線に形成される。
【０００７】
このため、目地によって塀や壁が、個々のコンクリートブロック単位で碁盤目状に分割されたように見え、結果的にコンクリートブロックを積み上げて形成された塀、壁であることが明瞭となる。
【０００８】
本発明は上記事情に鑑みなされたものであって、上下、左右に整列して塀や壁として形成したときに上下方向または左右方向に延びる目地を目立たせないようにした、コンクリートブロックを２以上集合させてなる組ブロックを提供することを目的とする。
【課題を解決するための手段】
【０００９】
本発明に係る組ブロックは、同一の特定方向に延びた複数の溝と化粧による複数の帯状部分とを、少なくとも一部でずらす（溝と帯状部分との、数、幅、間隔のうち少なくとも一つを、両者で異なるものとする）ことにより、化粧による帯状部分が溝による陰影を擬似的に形成することができ、２つのコンクリートブロック間に形成される目地は溝として視認されやすいが、ここに化粧による帯状部分が重畳することで、溝幅に変化を与え、均一幅の目地が一直線に延びているようには見えなくなるため、目地を目立たなくすることができる。
【００１０】
すなわち、本発明に係る組ブロックは、特定の方向に直線状に延びた複数の溝および前記特定の方向と同じ方向に延びた、化粧が施された複数の帯状部分とが、ブロック本体のおもて面およびうら面にそれぞれ形成されてなるコンクリートブロックを２以上集合させた組ブロックであって、前記溝と前記化粧が施された帯状部分とは、その数、幅および間隔のうち少なくとも一つが互いに異なって形成され、一つのコンクリートブロックの前記おもて面と前記うら面とで、前記溝および前記帯状部分のうち少なくとも一方の、数、幅および間隔のうち少なくとも一つが互いに異なって形成され、前記２以上のコンクリートブロックは、前記溝の数、幅および間隔のうち少なくとも一つ、または前記帯状部分の数、幅および間隔のうち少なくとも一つが互いに異なっていることを特徴とする。
【００１１】
ここで、溝は、その断面において凹状の輪郭部分を有する形状であって、例えば、型によって成型され、または切削等の塑性加工によって形成された部分である。
【００１２】
一方、化粧は、溝のように明瞭な輪郭として凹状の断面形状を有するものではなく、主として表面（ひょうめん）の装飾性を向上させる目的で施されたものであって、その表面を粗面化したものや、これとは反対にいっそうの平滑面化を施したもの、自然石の感じを演出したものなど、種々の表面処理に相当するものである。
【００１３】
このような化粧としては、具体的には例えば、ブロック本体の表面にウォータージェット加工を施す等して、表面に濃淡の差を生じさせたものなどがあるが、これに限定されるものではない。
【００１４】
溝や化粧の帯状部分が延びた特定の方向は、このコンクリートブロックが整列して使用される状態における、上下方向に沿った方向や、左右方向に沿った方向など、コンクリートブロックの輪郭形状を規定する各辺の延びた方向と平行な方向である。
【００１５】
このように構成された本発明に係る組ブロックによれば、組ブロックを構成する各コンクリートブロック本体は、そのおもて面およびうら面に、特定の方向に直線状に延びた溝が形成されているため、このようなコンクリートブロックを２個以上隣接して並べた状態においてその特定方向と平行な外形輪郭の辺に沿って延びる両コンクリートブロック間の目地が、それら複数の溝のうちの一つとして隠蔽されやすい。
【００１６】
ここで、コンクリートブロックに形成された溝は、そこに照射された光によって、溝の延びた方向と平行に延びる陰影を形成するが、同じく溝の延びた方向と平行に延びた、化粧が施された帯状の部分による濃淡差が、あたかも溝の陰影によって生じる濃淡と同じように見せるため、実際には存在しない溝を錯覚させる視覚効果が得られる。
【００１７】
特に、化粧の帯状部分は、本数、幅、間隔のうちいずれかが溝とは異なるように形成されているため、化粧の帯状部分のうち少なくとも一部は、溝の底面または溝間の凸面をその幅方向に分断して配置されるため、その分断して配置された部分においては、溝の存在や溝幅を錯覚させる視覚効果を生じさせる。
【００１８】
そして、本発明の組ブロックを構成する２以上のコンクリートブロックは、溝の数、幅および間隔のうち少なくとも一つ、または化粧による帯状部分の数、幅および間隔のうち少なくとも一つが互いに異なっているため、２以上のコンクリートブロックの見た目は異なるものとなり、しかも、個々のコンクリートブロックのおもて面とうら面との間でも、見た目が異なるものとなるため、見た目の異なるバリエーションの数が極めて多くなる。
【００１９】
そして、このように多数のバリエーションのコンクリートブロックを整列させて塀や壁を形成したときのコンクリートブロック間の目地部分は、溝として視認されるが、前述した化粧による帯状部分が重畳することで、その目地を含む溝の幅が、個々の目地の部分ごとに異なる幅として錯覚されやすくなり、この結果、上下方向または左右方向の一直線に延びる目地が、その部分ごとに幅が変化するため、１本の目地として認識されにくくなり目立たなくすることができる。
【００２０】
なお、型などを用いて成型する必要がある溝によって得られる陰影を、そのような成型の手間を要しない化粧による帯状部分によって錯覚的に視認させることが可能となるため、化粧のバリエーション（帯状部分の数、幅、間隔など）を変えるだけで、ブロック本体の見た目の印象（溝の数、幅、間隔等）を変えることができ、溝を形成するための型の数を増やすことなく、化粧用のマスクのバリエーションを増やすだけ、印象の異なるコンクリートブロックを得ることができ、バリエーションの増加に要するコストを低減することができる。
【発明の効果】
【００２１】
本発明に係る組ブロックによれば、組ブロックを構成する２以上のコンクリートブロックを上下、左右に整列して塀や壁として形成したときに、上下方向または左右方向に延びる目地を目立たせないようにすることができる。
【図面の簡単な説明】
【００２２】
【図１】本発明の一実施形態に係る組ブロックを構成する複数のコンクリートブロックのうちの一つを示す斜視図である。
【図２】図１に示したコンクリートブロックの平面図である。
【図３】図１に示したコンクリートブロックの底面図である。
【図４】図１に示したコンクリートブロックの左側面図（右側面図）である。
【図５】溝の形成されたパターンのバリエーションの一つを示す図（その１）であり、（ａ）は図２相当の平面図、（ｂ）はおもて面側の正面図、（ｃ）は図３相当の底面図、（ｄ）は図４相当の側面図、（ｅ）は背面図（うら面）、それぞれ表す。
【図６】溝の形成されたパターンのバリエーションの一つを示す図（その２）であり、（ａ）は図２相当の平面図、（ｂ）はおもて面側の正面図、（ｃ）は図３相当の底面図、（ｄ）は図４相当の側面図、（ｅ）は背面図（うら面）、それぞれ表す。
【図７】化粧を施す加工に用いる鉄型マスクの一例を示す斜視図である。
【図８】図７に示した鉄型マスクをコンクリートブロックのおもて面乃至うら面に被せた様子を示す斜視図である。
【図９】化粧により形成される帯状部分のパターンのバリエーションを示す図であり、（ａ）、（ｂ）はそれらのうちの各一つを表す。
【図１０】本実施形態の組ブロックを構成するコンクリートブロックにより形成された塀を示す図である（４つだけ実線で記載し、他は二点鎖線で示して詳細を省略した）。
【図１１】本実施形態の組ブロックを構成するコンクリートブロックにより形成された塀の一例を示す図（写真）である。
【図１２】塀の端部に用いられる形態のコンクリートブロックの一例を示す斜視図である。
【発明を実施するための形態】
【００２３】
以下、本発明に係る組ブロックを実施するための具体的な形態について、図面を参照して説明する。
【００２４】
図１は、本発明の一実施形態に係る組ブロックを構成する複数のコンクリートブロックのうちの一つを示す斜視図、図２は図１に示したコンクリートブロック１００の平面図、図３は図１に示したコンクリートブロック１００の底面図、図４は図１に示したコンクリートブロック１００の左側面図（右側面図）である。
【００２５】
図示のコンクリートブロック１００は、複数個を集合させて上下左右または千鳥格子状に整列して積み上げられることで、例えば塀として使用されるものである。
【００２６】
ここで、このコンクリートブロック１００は、例えばそのおもて面１１とうら面１２とにそれぞれ上下に延びた複数の溝２０が形成されている。これらの溝２０は、例えばコンクリートブロック１００を成型する型によって形成される。
【００２７】
コンクリートブロック１００のおもて面１１に形成されている溝２０と、うら面１２に形成されている溝２０とは、その本数、幅、溝２０間の間隔（溝２０の形成によって相対的に高くなった突部４０の幅）のうち少なくとも一つが互いに異なるものとなっている。
【００２８】
すなわち、例えばおもて面１１に形成された溝２０およびうら面１２に形成された溝２０の数はいずれも５つであって、同数であるが、溝２０の幅や間隔（突部４０の幅）が互いに相違している。なお、一部の溝２０は、他の溝２０とは異なる深さで形成されている。
【００２９】
また、このコンクリートブロック１００の幅方向の両側端縁１３，１４は、溝の底部となるように、両側端縁１３，１４を含む両側端部には、半溝部３０，３０がそれぞれ形成されている。なお、この半溝部３０，３０の溝幅（溝の底における幅）も、おもて面１１とうら面１２とで異なり、さらに同じおもて面１１の両側面１３，１４にそれぞれ隣接する両側端部に形成された半溝部３０，３０間でも、その溝幅に差がある。
【００３０】
コンクリートブロック１００の両側面１３，１４に相当する部分は、積み上げられたときに縦筋を通すための、上下に貫通した切欠き１５，１５が形成されている。
【００３１】
また、コンクリートブロック１００の上面に相当する部分は、左右方向に配列された他のコンクリートブロックとの連結用の横筋を通すための、幅方向に延びた切欠き１７が形成されている。
【００３２】
なお、このコンクリートブロック１００は型による成型時は、上面側を下、底面側を上に配置した天地反対の姿勢で形成される。
【００３３】
さらに、このコンクリートブロック１００のおもて面１１とうら面１２との間には、幅方向に並んだ３つの縦孔１６，１８，１８が、上述した型によって形成されている。これら３つの縦孔１６，１８，１８のうちの、中央の縦孔１６は、上面側から底面側まで貫通しているが、この縦孔１６の両隣の２つの縦孔１８，１８は、底面側から上下方向の途中までしか形成されておらず、上面側に貫通していない。
【００３４】
なお、これら３つの縦孔１６，１８，１８はコンクリートブロック１００の軽量化を一つの目的として形成されたものであるが、中央の縦孔１６は、コンクリートブロックを千鳥格子状に積み上げたとき、縦筋を一直線上に通過させるために、上下に貫通して形成されている。
【００３５】
ここで、本実施形態の組ブロックは、上述したコンクリートブロック１００と同様のコンクリートブロックを２個以上集合させてなるものであるが、その集合された他のコンクリートブロックは、例えば図５や図６に示すように、図１に示したコンクリートブロック１００と同じ外形寸法を有するものであるが、おもて面１１とうら面１２にそれぞれ形成されている溝２０の数、幅および間隔のうち少なくとも一つは、図１に示したコンクリートブロック１００のおもて面１１およびうら面１２に形成されたものと異なるものとなっている。
【００３６】
本実施形態の組ブロックを構成する複数のコンクリートブロック１００は、後述する図１０に示した塀２００を形成するのに必要な数だけ集合されたものであるが、上述したように、溝２０の数、幅および間隔のうち少なくとも一つが異なる２種類以上のコンクリートブロック１００を集合されたものである。
【００３７】
なお、集合させるコンクリートブロックの種類の数としては、少なくとも２種類（各コンクリートブロック１００のおもて面１１とうら面１２とは、溝２０の数、幅および間隔のうち少なくとも一つが互いに異なるため、このおもて面１１とうら面１２とをそれぞれ１種類と計数した場合は、４種類の面となる。）であればよいが、形成された溝２０のランダム性を求める観点からは６種類（おもて面１１とうら面１２とをそれぞれ１種類と計数した場合は、１２種類）程度であることが好ましい。
【００３８】
また、本実施形態の組ブロックを構成する複数種類のコンクリートブロック１００はそれぞれ、図１に示すように、溝２０の位置や幅および突部４０の位置や幅とは無関係に、化粧が施された帯状部分５０が形成されている。
【００３９】
この化粧は、例えば図７に示すように、上下方向に延びた帯状の開口３４０の数、幅および間隔がランダムに設定された鉄型マスク３００を、図８に示すように、複数の溝２０が形成されたコンクリートブロック１００のおもて面１１やうら面１２に被せ、この鉄型マスク３００が被せられた状態のコンクリートブロック１００に、高圧力の水を当てて、コンクリートブロック１００のうち開口３４０に臨んだ露出部分のセメントノロを水圧で除去し、コンクリートブロック１００の骨材面（骨材表面の粒状が表された面）を表面に露出させる加工（ウォータージェット加工）により形成され、セメントノロが除去されていない他の部分よりも、粒状感が強調され、かつ濃度が濃い化粧を得る。
【００４０】
この化粧を施す鉄型マスク３００は、図８に示すように、その上端３２０がコンクリートブロック１００の上面に、その下端３３０がコンクリートブロック１００の底面に、その両側部近傍にそれぞれ形成されたストッパー３１０，３１０がコンクリートブロック１００の各側面に概ね合わせることで、コンクリートブロック１００に位置合わせすることができるように構成されている。
【００４１】
ここで、鉄型マスク３００は、単一ではなく、その開口３４０の数、幅および間隔のうち少なくとも一つが異なるように形成された、例えば図９（ａ），（ｂ）に示すような異なる配置パターンの化粧部分（帯状部分５０）を形成する複数種類の鉄型マスクが用いられる。
【００４２】
複数種類の鉄型マスク３００の種類の数としては、少なくとも２種類であればよいが、形成される帯状部分５０の配置パターンのランダム性を求める観点からは２０種類程度であることが好ましい。
【００４３】
なお、鉄型マスク３００の開口３４０の配置パターンとコンクリートブロック１００に形成される溝２０の配置パターンとは、互いに異なる。
【００４４】
そして、これら開口３４０の配置パターンが互いに異なる複数種類の鉄型マスク３００をランダムに用いて、形成された溝２０の配置パターンがランダムの各コンクリートブロック１００に化粧を施すことで、コンクリートブロック１００の各面１１，１２には、いずれも上下方向に延びた溝２０と化粧による帯状部分５０とが、その本数、幅および間隔のうち少なくとも一つが互いに異なる意匠となる。
【００４５】
ここで、溝２０の配置パターンは例えば１２種類、帯状部分５０の配置パターンは例えば２０種類であるため、溝２０と化粧の帯状部分５０とによって形成された表面（ひょうめん；おもて面１１またはうら面１２）の意匠は、両者を掛け合わせた２４０（＝１２×２０）種類となる。
【００４６】
このように構成された組ブロックは、その表面の意匠が２４０種類のコンクリートブロック１００となるため、これらのうちからコンクリートブロック１００を任意の順序で選択しても、同一の意匠となるコンクリートブロック１００が連続して選択される可能性は極めて低くなる。
【００４７】
そして、このように選択された順序で、コンクリートブロック１００を図１０に示すように、上下方向および左右方向に順次並べて塀２００を形成すると、上下左右に隣接するコンクリートブロック１００の意匠は互いに異なるものとなる可能性が極めて高くなる。
【００４８】
ここで、塀２００を構成するコンクリートブロック１００は、上下左右に他のコンクリートブロック１００が隣接し、その隣接するコンクリートブロック１００，１００間には、モルタルによる目地１１０が形成される。
【００４９】
この目地１１０自体は、左右方向に延びるものも、上下方向に延びるものも、均一な等幅であり、かつコンクリートブロック１００の横幅および上下高さごとに規則正しく形成されるため、塀２００全体の中でも目立ち易い。
【００５０】
これは、本実施形態のコンクリートブロック１００のように、おもて面１１やうら面１２に形成された溝２０や半溝部３０の幅をランダムに変化させたものであっても同様であるが、この溝２０や半溝部３０の幅の変化によって目地１１０をある程度は隠蔽できる。
【００５１】
しかし、本実施形態の組ブロックを構成する各コンクリートブロック１００は、単に、その表面の溝２０および半溝部３０の幅をランダムに形成しただけではなく、形成されている溝２０とは、その数、幅および間隔のうち少なくとも一つが異なるように形成された化粧による帯状部分５０を備えている。
【００５２】
ここで、コンクリートブロック１００に形成された溝２０や半溝部３０は、そこに照射された光によって、溝２０や半溝部３０の延びた方向（本実施形態では上下方向）と平行に延びる陰影を形成するが、同じく溝２０や半溝部３０の延びた方向と平行に延びた、化粧が施された帯状部分５０による濃淡が、あたかも溝２０や半溝部３０の陰影によって生じる濃淡と同じように見せるため、実際には存在しない溝２０や半溝部３０の存在を錯覚させる視覚効果が得られる。
【００５３】
特に、化粧の帯状部分５０は、本数、幅、間隔のうちいずれかが溝２０や半溝部３０とは異なるように形成されているため、化粧の帯状部分５０のうち少なくとも一部は、溝２０の底面または溝２０間の凸面（突部４０の面）をその幅方向に分断して配置されるため、その分断して配置された部分においては、溝２０や半溝部３０の存在や溝２０の幅を錯覚させる視覚効果を生じさせる。
【００５４】
そして、本実施形態の組ブロックを構成する２以上のコンクリートブロック１００は、溝２０の数、幅および間隔のうち少なくとも一つ、または化粧による帯状部分５０の数、幅および間隔のうち少なくとも一つが互いに異なっているため、２以上のコンクリートブロック１００の見た目（意匠）は互い異なるものとなり、しかも、個々のコンクリートブロック１００のおもて面１１とうら面１２との間でも、見た目が異なるものとなるため、見た目の異なるバリエーションの数が極めて多くなる。
【００５５】
そして、このように多数のバリエーションのコンクリートブロック１００を整列させて形成された塀２００における、溝２０や帯状部分５０と同じ上下方向に延びた目地１１０は、溝として視認されるが、この溝と認識される部分に、前述した化粧による帯状部分５０が重畳することで、その目地１１０を含む溝の幅が、個々の目地１１０の部分ごとに異なる幅として錯覚されやすくなり、この結果、上下方向の一直線上に延びる目地１１０が、その部分ごとに幅が変化して見えるため、１本の均等幅の目地１１０として認識されにくくなり、これにより、図１１の写真に示すように、組ブロックを構成する複数のコンクリートブロック１００を整列させて形成された塀２００における上下方向に延びた目地１１０を、さらに目立たなくすることができる。
【００５６】
また、本実施形態における組ブロック１００を構成するコンクリートブロック１００は、その複数の溝２０のうち少なくとも一つは、その深さが他の溝２０と異なるものであるため、溝２０の深さの差異は、その溝２０によって生じる陰影の幅（左右方向の幅）に差異を生じさせる。したがって、溝２０の深さに差異を与えることで、化粧による帯状部分５０の幅に差異を与えるのと同様の効果を得ることができ、見た目のバリエーションをさらに増加させることができる。
【００５７】
しかも、各コンクリートブロック１００はそれぞれ、その溝２０および半溝部３０の側壁が、溝の底に向かうにしたがって溝幅が狭くなるような、傾斜面として形成されていて、この傾斜した側壁面は、突部４０の面や溝２０または半溝部３０の底面とは異なる陰影の濃淡を示すため、意匠のバリエーションをさらに増加させるとともに、この傾斜した側壁面にも前述したウォータージェット加工による化粧が施されることから、意匠のバリエーションを極めて多いものとすることができる。
【００５８】
さらに、本実施形態における２つのコンクリートブロック１００，１００を左右方向に並べたときに、両コンクリートブロック１００，１００間に形成される目地１１０は上下方向に沿ったものとなるが、溝や化粧の帯状部分が上下方向に沿ったものとなるため、左右間の目地１１０を目立たなくすることができるため、図１１に示すように、継ぎ目の無い左右方向に長く延びた塀２００として視認させることができ、高品質感を演出することができる。
【００５９】
なお、本実施形態における組ブロックを構成する２以上の各コンクリートブロック１００は、ブロック本体の幅方向の両側端が溝の底部となるように、両側端部に半溝部３０，３０が形成されていることにより、左右方向に並べられた２つのコンクリートブロック１００，１００の側端部同士が隣接することで、両コンクリートブロック１００，１００の側端部は半溝部３０，３０同士が組み合わされた溝となり、この溝の底部に目地１１０が存在することなるため、目地１１０の存在を、半溝部３０，３０同士が組み合わされた溝によって隠蔽させやすい。
【００６０】
各コンクリートブロック１００は、特に、その半溝部３０の幅も種々異なって形成されているため、目地１１０を一層目立たなくすることができる。
【００６１】
なお、通常幅（例えば、２〜３［ｍｍ］）の目地１１０を隠蔽する効果の面から、溝２０や半溝部３０の幅は約５〜２０［ｍｍ］程度であることが好ましいが、この具体的数値に限定されるものではなく、形成しようとする目地１１０の幅に応じて種々の溝幅を適用することができる。
【００６２】
また、型などを用いて成型する必要がある溝２０や半溝部３０によって得られる陰影を、そのような成型の手間や型の費用を要しない化粧による帯状部分５０によって錯覚的に視認させることが可能となるため、化粧のバリエーション（帯状部分５０の数、幅、間隔など）を変えるだけで、コンクリートブロック１００本体の見た目の印象（溝２０の数、幅、間隔等）を変えることができ、溝２０を形成するための型の数を増やすことなく、化粧用の鉄型マスク３００のバリエーションを増やすだけ、印象（意匠）の異なるコンクリートブロック１００を得ることができ、バリエーションの増加に要するコストを低減することができる。
【００６３】
さらに、本実施形態の組ブロックを構成するコンクリートブロック１００により形成される塀２００は、上下左右に隣接するコンクリートブロック１００の意匠（溝２０および化粧の帯状部分５０により形成される意匠）が互いに異なることにより、目地１１０を目立たなくすることができるところ、この組ブロックを構成するコンクリートブロック１００は、その意匠のバリエーションが極めて多いため、施工者が上記の塀２００を施工するに際して、隣接させる上下左右のコンクリートブロック１００の意匠を意識的に互いに異なるものとするように、次に並べるコンクリートブロック１００を選択する際に相当の注意を払うまでもなく、任意のコンクリートブロック１００を選択するだけで、隣接するコンクリートブロック１００とは異なる意匠のものを並べることができる可能性が極めて高くなっている。
【００６４】
なお、本実施形態の組ブロックを構成する複数のコンクリートブロック１００は、塀２００を形成した際の上下方向に延びる目地１１０を目立たなくさせるために、溝２０や化粧の帯状部分５０を上下方向に延びるものとして形成したが、本発明の組ブロックを構成するコンクリートブロックはこの形態に限定されるものではない。
【００６５】
すなわち、例えば塀を形成した際の左右方向（水平方向）に延びる目地を目立たなくさせるためには、上述した溝２０や化粧の帯状部分５０を左右方向に延びたコンクリートブロックを適用し、本発明の組ブロックを構成することができる。
【００６６】
上述した実施形態の組ブロックを構成するコンクリートブロック１００はいずれも塀２００の一般面（塀２００としての端部以外の部分）を形成するものであるため、両側面１３，１４にそれぞれ縦筋用の切欠き１５，１５が形成されているが、例えば門に隣接する塀２００の端部を形成するコンクリートブロック１００としては、例えば図１２に示すように、一方の側面（図１２においては左側の側面１３）に、切欠き１５の代わりに、おもて面１１やうら面１２と同様の溝２０を形成すればよい。なお、この図１２に示したコンクリートブロック１００を左右方向に裏返して、おもて面１１とうら面１２とを入れ替えれば、図１２の左側の側面１３が右側の側面に相当するため、左側の側面１３に切欠き１５に代えて溝２０を形成したものと、右側の側面１４に切欠き１５に代えて溝２０を形成したものを別々に用意しなくても、塀２００の両側端部に適用することができる。
【符号の説明】
【００６７】
１１    おもて面
１２    うら面
２０    溝
３０    半溝部
４０    突部
５０    化粧による帯状部分
１００  コンクリートブロック
１１０  目地
２００  塀
【図１】
0005536502.tif 000002
【図２】
0005536502.tif 000003
【図３】
0005536502.tif 000004
【図４】
0005536502.tif 000005
【図５】
0005536502.tif 000006
【図６】
0005536502.tif 000007
【図７】
0005536502.tif 000008
【図８】
0005536502.tif 000009
【図１０】
0005536502.tif 000010
【図９】
0005536502.tif 000011
【図１１】
0005536502.tif 000012
【図１２】
0005536502.tif 000013